(57)【要約】【課題】消毒用材を収納する広口容器の安定性を向上させるとともに、繰り返し使用した場合であっても蓋板部による消毒用材の汚染を低減することができる衛生的にも優れた消毒用材の蓋付ホルダーを提供する。【解決手段】消毒用材を収納した広口容器４０を開口状態で配置することができる上部開口部１２と収容空間１３を有するホルダー本体部１１と、前記収容空間１３に配置された広口容器４０の開口部４１を閉鎖する滅菌済かつ交換自在な蓋板部２０と、前記ホルダー本体部１１の上部に形成された前記蓋板部２０の開閉のための回動部３０とを有することを特徴とする。【選択図】図１
2006137434.tif 000002
【特許請求の範囲】
【請求項１】
消毒用材を収納した広口容器を開口状態で配置することができる上部開口部と収容空間を有するホルダー本体部と、前記収容空間に配置された広口容器の開口部を閉鎖する滅菌済かつ交換自在な蓋板部と、前記ホルダー本体部の上部に形成された前記蓋板部の開閉のための回動部とを有することを特徴とする消毒用材の蓋付ホルダー。
【請求項２】
前記回動部がＵ字状軸受部よりなり、該Ｕ字状軸受部に前記蓋板部に形成された軸部が着脱自在に嵌装されている請求項１に記載の消毒用材の蓋付ホルダー。
【請求項３】
前記広口容器の開口部に断面逆Ｕ字状の外側折返し部が形成されていて、該外側折返し部が前記ホルダー本体部の上部開口部の縁部に嵌着するように構成された請求項１又は２に記載の消毒用材の蓋付ホルダー。
【請求項４】
前記蓋板部がプラスチック成形品よりなる請求項１ないし３のいずれか１項に記載の消毒用材の蓋付ホルダー。
【請求項５】
前記蓋板部の端部に開閉用の操作突片が形成された請求項１ないし４のいずれか１項に記載の消毒用材の蓋付ホルダー。
【請求項６】
前記操作突片が蓋板部の開放状態を保持する係止部として構成された請求項５に記載の消毒用材の蓋付ホルダー。
【請求項７】
前記ホルダー本体部に互いに合着する雌雄の連結部が形成された請求項１ないし６のいずれか１項に記載の蓋付ホルダー。
【発明の詳細な説明】
【技術分野】
【０００１】
この発明は、消毒用材を収納した容器の蓋付ホルダーに関する。
【背景技術】
【０００２】
従来、綿球や板状綿等の消毒用材の収納容器としては、例えば、略円筒形状の広口容器にその上面の開口部を覆う円盤形状の蓋板部を開閉可能に取り付けた、いわゆる万能缶が使用されている。
【０００３】
この万能缶は、一般に、使用時には蓋板部を開けて広口容器内の消毒用材をピンセットにより摘み出し、使用後は蓋板部を閉めて広口容器内に落下菌が入るのを防止するものである。しかしながら、万能缶の蓋板部が開いているときは、広口容器内に落下菌が混入するおそれがあり、また、広口容器の内面は、使い古しの消毒液が付着するという問題もあり、衛生的に好ましいものではなかった。
【０００４】
そこで、広口容器と蓋板部とを分離可能にし、広口容器を使い捨ての合成樹脂成形品とした万能缶が提案されている（特許文献１参照）。しかしながら、このような万能缶は、蓋板部が繰り返し使用されるため、蓋板部を開けたときに該蓋板部の内面に落下菌が付着するおそれもあり、長期に亘り繰り返し使用されることにより容器内の消毒用材が汚染される可能性があった。
【０００５】
一方において、この種の消毒用材を収納する広口容器は、蓋板部を開けたときにその勢いで転倒し、広口容器の開口部が汚染されたり、その内部の消毒用材が飛び出て汚染されたりすることがあった。このため、安定性に優れ、転倒を防止できる構成が望まれていた。
【特許文献１】特開２００２−２３８９７８号公報
【発明の開示】
【発明が解決しようとする課題】
【０００６】
この発明は、前記の点に鑑みなされたものであり、消毒用材を収納する広口容器の安定性を向上させるとともに、繰り返し使用した場合であっても蓋板部による消毒用材の汚染を低減することができる衛生的にも優れた消毒用材の蓋付ホルダーを提供するものである。
【課題を解決するための手段】
【０００７】
すなわち、請求項１の発明は、消毒用材を収納した広口容器を開口状態で配置することができる上部開口部と収容空間を有するホルダー本体部と、前記収容空間に配置された広口容器の開口部を閉鎖する滅菌済かつ交換自在な蓋板部と、前記ホルダー本体部の上部に形成された前記蓋板部の開閉のための回動部とを有することを特徴とする消毒用材の蓋付ホルダーに係る。
【０００８】
請求項２の発明は、前記回動部がＵ字状軸受部よりなり、該Ｕ字状軸受部に前記蓋板部に形成された軸部が着脱自在に嵌装されている請求項１に記載の消毒用材の蓋付ホルダーに係る。
【０００９】
請求項３の発明は、前記広口容器の開口部に断面逆Ｕ字状の外側折返し部が形成されていて、該外側折返し部が前記ホルダー本体部の上部開口部の縁部に嵌着するように構成された請求項１又は２に記載の消毒用材の蓋付ホルダーに係る。
【００１０】
請求項４の発明は、前記蓋板部がプラスチック成形品よりなる請求項１ないし３のいずれか１項に記載の消毒用材の蓋付ホルダーに係る。
【００１１】
請求項５の発明は、前記蓋板部の端部に開閉用の操作突片が形成された請求項１ないし４のいずれか１項に記載の消毒用材の蓋付ホルダーに係る。
【００１２】
請求項６の発明は、前記操作突片が蓋板部の開放状態を保持する係止部として構成された請求項５に記載の消毒用材の蓋付ホルダーに係る。
【００１３】
請求項７の発明は、前記ホルダー本体部に互いに合着する雌雄の連結部が形成された請求項１ないし６のいずれか１項に記載の蓋付ホルダーに係る。
【発明の効果】
【００１４】
この発明の蓋付ホルダーによれば、消毒用材を収納した広口容器を開口状態で配置することができる上部開口部と収容空間を有するホルダー本体部と、前記収容空間に配置された広口容器の開口部を閉鎖する滅菌済かつ交換自在な蓋板部と、前記ホルダー本体部の上部に形成された前記蓋板部の開閉のための回動部とを有するものであるから、広口容器の安定性が向上して転倒のおそれがなくなり、さらに、適時、清潔な蓋板部に交換することができるので、当該蓋付ホルダーを繰り返し使用した場合であっても、広口容器内の消毒用材を清潔な状態で使用することができる。
【００１５】
また、請求項２の発明によれば、請求項１において、前記回動部がＵ字状軸受部よりなり、該Ｕ字状軸受部に前記蓋板部に形成された軸部が着脱自在に嵌装されているので、蓋板部の軸部及び回動部を簡易に構成することができるとともに、前記蓋板部の交換作業を極めて容易に行うことができる。
【００１６】
請求項３の発明によれば、請求項１又は２において、前記広口容器の開口部に断面逆Ｕ字状の外側折返し部が形成されていて、該外側折返し部が前記ホルダー本体部の上部開口部の縁部に嵌着するように構成さているため、広口容器がホルダー本体部によって確実に保持され、安定性が格段に向上して該広口容器の転倒を防止することができる。
【００１７】
請求項４の発明によれば、請求項１ないし３において、蓋板部がプラスチック成形品よりなるため、該蓋板部に前記軸部を容易に一体に形成することができ、製造コストの低減を図ることができる。
【００１８】
請求項５の発明によれば、請求項１ないし４において、前記蓋板部の端部に開閉用の操作突片が形成されたことにより、操作突片を押し下げるだけで蓋板部を開くことができるとともに操作突片を元の位置に戻すだけで蓋板部を閉じることができる。よって、蓋板部を容易に開閉することができ、加えて、開閉時には操作突片のみに触れるので衛生的である。
【００１９】
請求項６の発明によれば、請求項５において、前記操作突片が蓋板部の開放状態を保持する係止部として構成されたことにより、蓋板部の開き角度が一定の範囲内に制限されるので、蓋板部の開き角度が大きくなりすぎることがなくなり、ホルダー本体部が安定して蓋板部開放時の転倒を防止することができる。
【００２０】
請求項７の発明によれば、請求項１ないし６において、前記ホルダー本体部に互いに合着する雌雄の連結部が形成されたことにより、当該ホルダーを複数個連結して設置することができ、消毒用材を使用する作業環境を容易に整えることができる。
【発明を実施するための最良の形態】
【００２１】
以下添付の図面に従ってこの発明を詳細に説明する。図１はこの発明の一実施例を示す蓋付ホルダーの斜視図、図２は広口容器が配置された図１の蓋付ホルダーの蓋板部開状態を表す縦断面図、図３は同蓋付ホルダーの蓋板部閉状態を表す縦断面図、図４は同蓋付ホルダーの蓋板部閉状態を表す上面図、図５は図４に示す蓋付ホルダーのＡ−Ａ線での断面図である。
【００２２】
図１ないし図４に示したように、この発明の一実施例に係る蓋付ホルダー１０は、ホルダー本体部１１と、蓋板部２０と、回動部３０を有する。図において、符合４０は消毒用材を収納した広口容器、４１はその開口部である。
【００２３】
ホルダー本体部１１は、消毒用材を収納した広口容器４０を開口状態で配置することができる上部開口部１２と収容空間１３を有する。実施例のホルダー本体部１１は、台座部１４上に筒状体１５が一体に形成されたポリプロピレン等の公知のプラスチック成形品よりなる。なお、このホルダー本体部１１の材質や形状については、上記実施例のみに限定されるものではなく、広口容器４０が配置可能な適宜の構成で実施することができる。また、該ホルダー本体部１１に配置される広口容器４０についても、その材質や形状は図示の実施例のみに限定されず、例えば、金属製の容器を用いたり略立方形状に構成する等、適宜のものとされるのはいうまでもない。図において、符号１２Ａはホルダー本体部１１の上部開口部１２の縁部である。
【００２４】
蓋板部２０は、ホルダー本体部１１の収容空間１３に配置された広口容器４０の開口部４１を閉鎖するものであり、滅菌済かつ交換自在に構成されている。実施例において、蓋板部２０は、図示のように円形板部材２１を有しており、その外周部下面側には、蓋板部２０の閉状態時に広口容器４０の開口部４１外周を覆うための突条部２２が形成され、広口容器４０内への異物の混入を防止するように構成される。また、該蓋板部２０の円形板部材２１の端部には、軸部２５，２５を有する突片２３が一体に形成されている。
【００２５】
回動部３０は、蓋板部２０を開閉するためのものであって、ホルダー本体部１１の上部に形成される。この回動部３０は、図示しかつ請求項２の発明として規定したように、Ｕ字状軸受部３１，３１よりなり、該Ｕ字状軸受部３１，３１に前記蓋板部２０に形成された軸部２５が着脱自在に嵌装されるようにすることで、蓋板部２０の軸部２５及び回動部３０を簡易に構成することができ、さらに、前記蓋板部２０の交換作業を極めて容易に行うことが可能となる。なお、図中の符号３２は前記軸部２５が嵌挿されるＵ字状軸受部３１の軸受溝である。
【００２６】
上記蓋付ホルダー１０では、図示しかつ請求項３の発明として規定したように、広口容器４０の開口部４１に断面逆Ｕ字状の外側折返し部４２を形成し、該外側折返し部４２がホルダー本体部１１の上部開口部１２の縁部１２Ａに嵌着するように構成することが好ましい。これにより、広口容器４０がホルダー本体部１１によって確実に保持され、安定性が格段に向上して該広口容器４０の転倒を防止することができる。
【００２７】
また、この蓋付ホルダー１０では、請求項４の発明として規定したように、蓋板部２０をプラスチック成形品とすれば、該蓋板部２０の端部に前記軸部２５を容易に一体に成形することができ、製造コストの低減を図ることができる。
【００２８】
さらに、この蓋付ホルダー１０にあっては、請求項５の発明として規定し図に示したように、蓋板部２０の端部に開閉用の操作突片２４を形成することが好ましい。実施例では、操作突片２４は、蓋板部２０の円形板部材２１端部に形成した突片２３と一体に形成されたものであり、該操作突片２４を軽く押し下げるだけで蓋板部２０を開くことができるとともに、操作突片２４を軽く押し上げて元の位置に戻すだけで蓋板部２０を閉じることができる。したがって、蓋板部２０を容易に開閉することができ、加えて、開閉時には操作突片２４のみに触れるので衛生的である。
【００２９】
また、特に、図２に図示しかつ請求項６の発明として規定したように、操作突片２４を蓋板部２０の開放状態を保持する係止部として構成すれば、蓋板部２０の開き角度を一定の範囲内に制限することができ、開き角度が大きくなりすぎてホルダー本体部１１が不安定となることがなくなって、蓋板部２０開放時に転倒するのを防ぐことができる。実施例の操作突片２４は、蓋板部２０の上面側方向に屈曲して形成され、蓋板部２０の開状態時にその先端部分がホルダー本体部１１の側面に当接して、前記蓋板部２０の開き角度が９０度よりもやや広くなる状態で係止されるように構成される。なお、係止部としての操作突片２４は、実施例の構成に限定されるものではなく、例えば、回動部３０に規制部材を設けて蓋板部２０が開状態となった際に操作突片２４が前記規制部材に当接するように構成する等、蓋板部２０の開き角度が大きくなりすぎないように規制可能な構成であればよい。
【００３０】
上記の如く構成された消毒用材の蓋付ホルダー１０にあっては、消毒用材を収納した広口容器４０をホルダー本体部１１の収容空間１３に配置するため、該広口容器４０の安定性が向上して転倒のおそれがなくなる。さらに、収容空間１３に広口容器４０を配置した後、回動部３０で開閉されるとともに広口容器４０の開口部４１を閉鎖する蓋板部２０が滅菌済かつ交換自在に構成されたものであるから、適時、清潔な蓋板部２０に交換することが可能であり、当該蓋付ホルダー１０を繰り返し使用した場合であっても、広口容器４０内の消毒用材を清潔な状態で使用することができる。
【００３１】
なお、本発明の蓋付ホルダーは、上記実施例で述べた構成に限るものではなく、発明の趣旨を逸脱しない範囲内において種々の変更を付加して実施することができる。例えば、図１，４，５に図示しかつ請求項７の発明として規定したように、ホルダー本体部１１に互いに合着する雌雄の連結部５０を形成することもできる。実施例の連結部５０は、ホルダー本体部１１の台座部１４の側面部に形成された雄型連結部材５１と、該ホルダー本体部１１の前記雄型連結部材５１との対称位置に形成された雌型連結部材５２とからなり、当該ホルダー１０を複数個連結して設置可能に構成される。これにより、回診等を行う際に複数の広口容器を効率よく持ち運ぶことができる等、消毒用材を使用する作業環境を容易に整えることができる。
【００３２】
また、上記連結部５０は、図示の謙譲に限定されるものではなく、雌型連結部材を穴部として形成し、この穴部に挿入可能な突部としての雄型連結部材によって合着可能に構成する等、適宜の形状とすることができるのはいうまでもない。
【図面の簡単な説明】
【００３３】
【図１】この発明の一実施例を示す蓋付ホルダーの斜視図である。
【図２】広口容器が配置された図１の蓋付ホルダーの蓋板部開状態を表す縦断面図である。
【図３】同蓋付ホルダーの蓋板部閉状態を表す縦断面図である。
【図４】同蓋付ホルダーの蓋板部閉状態を表す上面図である。
【図５】図４に示す蓋付ホルダーのＡ−Ａ線での断面図である。
【符号の説明】
【００３４】
１０  蓋付ホルダー
１１  ホルダー本体部
１２  上部開口部
１２Ａ  縁部
１３  収容空間
１４  台座部
１５  筒状体
２０  蓋板部
２１  円形板部材
２２  突条部
２３  突片
２４  操作突片
２５  軸部
３０  回動部
３１  Ｕ字状軸受部
３２  軸受溝
４０  広口容器
４１  開口部
４２  外側折返し部
５０  連結部
５１  雄型連結部材
５２  雌型連結部材
【図１】
2006137434.tif 000003
【図２】
2006137434.tif 000004
【図３】
2006137434.tif 000005
【図４】
2006137434.tif 000006
【図５】
2006137434.tif 000007